(57)【要約】【課題】電気コネクタの接点部における外部導体との摺動量を多く確保する。【解決手段】第１外部導体に接続される接続部３６と、第２外部導体に接触される接点部４４が、ばね部４０により導通される。接続部３６及び接点部４４の少なくとも一方は、ずらし部により、ばね部４０の延在方向の中心線からずれている。【選択図】図１
2015026502.tif 000002
【特許請求の範囲】
【請求項１】
第１外部導体に接続される接続部と、
第２外部導体に接触される接点部と、
前記接続部と前記接点部を導通させ、前記接続部から前記接点部に向かう方向に延在されたばね部と、
前記接続部及び前記接点部の少なくとも一方を、前記ばねの延在方向の中心線からずらした位置とするずらし部と、
を有する電気コネクタ。
【請求項２】
前記接続部、前記接点部、前記ばね部及び前記ずらし部が金属により一体成形されている請求項１に記載の電気コネクタ。
【請求項３】
前記接続部から連続すると共に前記ばね部に沿って前記延在方向に延在される導体部を備え、
前記ばね部が、前記導体部から離間している請求項１又は請求項２に記載の電気コネクタ。
【請求項４】
基板本体と、
第１外部導体に接続される接続部と、第２外部導体に接触される接点部と、前記接続部と前記接点部を導通させ、前記接続部から前記接点部に向かう方向に延在されたばね部と、前記接続部及び前記接点部の少なくとも一方を、前記ばねの前記延在方向の中心線からずらした位置とするずらし部と、を備え、前記基板本体に取り付けられる電気コネクタと、
を有する基板ユニット。
【発明の詳細な説明】
【技術分野】
【０００１】
本願の開示する技術は電気コネクタ及び基板ユニットに関する。
【背景技術】
【０００２】
板ばね材を折り曲げ成形することにより、弾性部、接触部及び凸部を備えたピン本体を形成した接触ピンがある（たとえば、特許文献１参照）。
【先行技術文献】
【特許文献】
【０００３】
【特許文献１】特開２０１０−２１２０７９号公報
【発明の概要】
【発明が解決しようとする課題】
【０００４】
電気コネクタにおいて、外部導体との接点部が外部導体に対し摺動すると、接点部がワイピングされる。
【０００５】
本願の開示技術は、電気コネクタの接点部における外部導体との摺動量を多く確保することが目的である。
【課題を解決するための手段】
【０００６】
本願の開示する技術によれば、第１外部導体に接続される接続部と、第２外部導体に接触される接点部が、ばね部により導通される。接続部及び接点部の少なくとも一方は、ずらし部により、ばね部の延在方向の中心線からずれている。
【発明の効果】
【０００７】
電気コネクタの接点部における外部導体との摺動量を多く確保できる。
【図面の簡単な説明】
【０００８】
【図１】第１実施形態のバッテリコネクタのコンタクトを示す斜視図である。
【図２】第１実施形態のバッテリコネクタのコンタクトを示す斜視図である。
【図３】第１実施形態のバッテリコネクタのコンタクトを成形前の板状部材として示す斜視図である。
【図４】第１実施形態の基板ユニットを示す斜視図である。
【図５】第１実施形態の基板ユニットを示す斜視図である。
【図６Ａ】第１実施形態のバッテリコネクタのコンタクトを変形前の状態で示す図１の６Ａ−６Ａ線断面図である。
【図６Ｂ】第１実施形態のバッテリコネクタのコンタクトを変形前の状態で示す図６Ａの６Ｂ−６Ｂ線断面図である。
【図７】第１実施形態のバッテリコネクタのコンタクトを部分的に変形した状態で示す一部破断斜視図である。
【図８】第１実施形態のバッテリコネクタのコンタクトを部分的に変形した状態で示す一部破断斜視図である。
【図９】第１実施形態のバッテリコネクタのコンタクトを部分的に変形した状態で示す一部破断斜視図である。
【図１０Ａ】第１実施形態のバッテリコネクタのコンタクトを変形途中の状態で図６Ａと同様の断面で示す断面図である。
【図１０Ｂ】第１実施形態のバッテリコネクタのコンタクトを変形途中の状態で図６Ｂと同様の断面で示す断面図である。
【図１１Ａ】第１実施形態のバッテリコネクタのコンタクトを変形した状態で図６Ａと同様の断面で示す断面図である。
【図１１Ｂ】第１実施形態のバッテリコネクタのコンタクトを変形した状態で図６Ｂと同様の断面で示す線断面図である。
【発明を実施するための形態】
【０００９】
第１実施形態について、図面に基づいて詳細に説明する。
【００１０】
図４及び図５には、第１実施形態のバッテリコネクタ１０が取り付けられた基板ユニット１６が斜視図で示されている。図１及び図２には、バッテリコネクタ１０のコンタクト１２が斜視図にて示されている。基板ユニット１６は、絶縁性の材料によって板状に形成され、電気素子や接続端子等が設けられた基板本体１８を有している。バッテリコネクタ１０は、複数（図示の例では４つ）のコンタクト１２を内部に収容するハウジング１４を有している。基板ユニット１６は、このバッテリコネクタ１０が、基板本体１８に取り付けられた構造である。
【００１１】
以下において、コンタクト１２の上方向を矢印ＵＰで、手前方向を矢印ＦＲで、幅方向を矢印Ｗでそれぞれ示す。これらの「上方向」、「手前方向」及び「幅方向」は、説明の便宜のための方向であり、実際のコンタクト１２の使用状態や、基板本体１８への取付状態を制限するものではない。なお、手前方向の反対方向が「奥方向」である。また、コンタクト１２の上方向、手前方向及び幅方向は、バッテリコネクタ１０（ハウジング１４）の上方向、手前方向及び幅方向と同じである。
【００１２】
コンタクト１２は、図３に示すように、所定の形状とされた金属製（たとえば銅製）の板状部材２０を所定位置で折り曲げることで形成されている。図３では、折り曲げ前の板状部材２０を実線で示し、折り曲げ後の板状部材２０（コンタクト１２）を部分的に二点鎖線で示している。
【００１３】
コンタクト１２は、本実施形態では略四角筒状に形成された導体部２２を有している。図３から分かるように、導体部２２は、板状部材２０の長方形部２４を所定の折り曲げ線２８で折り曲げることにより形成されている。長方形部２４を折り曲げ線２８で折り曲げることで、図１及び図２に示すように、導体部２２は、下板部３０、側板部３２及び上板部３４を有する形状となる。
【００１４】
導体部２２は、具体的には、下板部３０の幅方向両側から立ち上がる２枚の側板部３２を有し、さらに、側板部３２のそれぞれから、互いに接近する方向に曲げられた２枚の上板部３４を有している。２枚の上板部３４の先端３４Ｔは離間しており、隙間Ｇ１が生じている
【００１５】
下板部３０の奥側には、接続部３６が形成されている。接続部３６は、下板部３０よりも幅の狭い板状に形成されており、下板部３０の奥側の辺から立ち上がっている。
【００１６】
接続部３６の上端からは、接続部側ずらし部３８が延出され、さらに、接続部側ずらし部３８からばね部４０が延出されている。接続部側ずらし部３８の形状については後述する。
【００１７】
図３にも詳細に示すように、ばね部４０は、成形前の板状部材２０では、長方形部２４よりも幅が狭く、且つ幅方向に交互に蛇行する形状であり、それぞれの蛇行部分の間には長手方向の隙間があいている。
【００１８】
そして、接続部３６を長方形部２４から折り曲げて立ち上げ、さらに、接続部３６の上部を折り曲げることで、ばね部４０は下板部３０と平行に配置される。
【００１９】
図６Ａにも示すように、ばね部４０の幅方向両側部分４０Ｓは、幅方向中央部分４０Ｃから下方に折り曲げられている。ばね部４０の幅方向両側部分４０Ｓの端部４０Ｔは下板部３０から離間するように、接続部３６の高さが確保されている。これにより、ばね部４０の幅方向両側部分４０Ｓと下板部３０との間に間隙Ｇ２が生じている。
【００２０】
ばね部４０の先端からは、接点部側ずらし部４２が延出され、さらに接点部側ずらし部４２から接点部４４が延出されている。接点部側ずらし部４２の形状については後述する。
【００２１】
接点部４４は、下板部３０よりも幅の狭い板状に形成されている。接点部４４は、接点部側ずらし部４２から連続し、導体部２２よりも手前側（矢印ＦＲ側）で下板部３０と平行な基端部４６を有している。
【００２２】
さらに、ばね部４０は、基端部４６から連続し、手前側（矢印ＦＲ方向）に向かうにしたがって下方に傾斜する第１傾斜部４８を有している。そして、この第１傾斜部４８から折り返されて連続し、奥側（矢印ＦＲと反対方向）に向かうにしたがって下方に傾斜する第２傾斜部５２を有している。第１傾斜部４８と第２傾斜部５２との折り返し部分が、手前側に最も突出した先端部４４Ｔであり、バッテリ９２が最初に接触する可能性が高い。なお、バッテリ９２は第２外部導体の一例である。
【００２３】
接点部４４の第２傾斜部５２の先端からは、第２傾斜部５２から連続し、導体部２２の内側（下板部３０の上方）に位置する延長部５４が形成されている。延長部５４は、下板部３０に接触した状態では、接点部４４から下板部３０を介して、後述するはんだ付け部５８までを導通する。
【００２４】
図２の詳細に示すように、本実施形態のコンタクト１２では、接続部３６とばね部４０の間に接続部側ずらし部３８が形成されている。接続部側ずらし部３８は、接続部３６の上端から幅方向に向けて略直角に延在されている。この接続部側ずらし部３８により、接続部３６の幅方向における中心位置（中心線ＣＬ−２）は、ばね部４０の延在方向における中心位置（中心線ＣＬ−１）よりも幅方向に距離Ｌ１だけずれている。
【００２５】
また、本実施形態のコンタクト１２では、接点部４４とばね部４０の間に接点部側ずらし部４２が形成されている。接点部側ずらし部４２は、ばね部４０の先端から、幅方向に向けて略直角に延在されている。この接点部側ずらし部４２により、接点部４４の幅方向における中心位置（中心線ＣＬ−３）は、ばね部４０の延在方向における中心位置（中心線ＣＬ−１）よりも幅方向に距離Ｌ２だけずれている。
【００２６】
本実施形態のコンタクト１２は、長手方向に圧縮力を受けることで、全体的に圧縮される。このようにコンタクト１２が圧縮されたときの形状変化を、図７〜図９を用いて説明する。
【００２７】
なお、図７〜図９は、コンタクト１２における各部位の変形を端的に示すための図であり、実際には、後述するように、各部位の変形が複合して生じる。図７〜図９において、圧縮前のコンタクト１２の一部の形状を二点鎖線で示し、圧縮後の形状を実線で示している。また、図７〜図９において、応力が集中する部分にドットを付して網点状に表示している。ただし、変形する部位が、このようにドットを付した部位に制限されるという趣旨ではない。
【００２８】
図７には、コンタクト１２が長手方向の圧縮力を受けた場合のばね部４０及び接続部側ずらし部３８の形状変化が示されている。上記したように、ばね部４０は幅方向へ交互に蛇行する形状であり、蛇行部分の間に長手方向の隙間があいているため、長手方向の圧縮力により、全体的に圧縮される。ばね部４０の圧縮により、図７に矢印Ｍ１で示すように、接点部４４が奥側に変位している。
【００２９】
さらに、本実施形態のコンタクト１２は、接続部側ずらし部３８により、接続部３６の幅方向における中心位置（中心線ＣＬ−２）は、ばね部４０の延在方向における中心位置（中心線ＣＬ−１）よりも幅方向に距離Ｌ１だけずれている（図２参照）。換言すれば、上記したずれ（距離Ｌ１）が生じていない構造と比較して、接続部側ずらし部３８は幅方向に長い。このため、接続部側ずらし部３８におけるばね部４０側の端部３８Ｐが奥側（矢印Ｍ１）及び下方（矢印Ｍ２）に変位しやすい。
【００３０】
図８には、コンタクト１２が長手方向の圧縮力を受けた場合の接続部３６の形状変化が示されている。接続部３６は、下板部３０から立ち上がって上下方向に所定の長さを有しているので、図８に矢印Ｍ４で示すように、接続部３６の上部が奥側へ変位するように撓みやすい。そして、接続部３６の上部が奥側に変位することにより、図８に矢印Ｍ１で示すように、接点部４４が奥側に変位している。
【００３１】
このように、コンタクト１２が長手方向の圧縮力を受けた場合には、ばね部４０だけでなく、接続部３６及び接続部側ずらし部３８も、ばねとして作用する部位、すなわち変形する部位となる。これにより、本実施形態のコンタクト１２では、長手方向の圧縮力に対するばね長が、接続部３６や接続部側ずらし部３８が形成されていない構造と比較して長く確保されている。
【００３２】
また、ばね部４０は全体として湾曲し、ばね部４０の手前側が下方に変位する。これにより、図７に矢印Ｍ２で示すように、接点部４２も下方に変位している。
【００３３】
図９には、コンタクト１２が長手方向の圧縮力を受けた場合の、接点部側ずらし部４２の形状変化が示されている。接点部側ずらし部４２により、接点部４４の幅方向における中心位置（中心線ＣＬ−３）は、ばね部４０の延在向における中心位置（中心線ＣＬ−１）よりも幅方向に距離Ｌ２だけずれている（図１参照）。換言すれば、上記したずれ（距離Ｌ２）が生じていない構造と比較して、接点部側ずらし部４２は幅方向に長い。このため、接点部側ずらし部４２における接点部４４側の端部４２Ｐが奥側及び下方に変位しやすい。
【００３４】
図６Ｂからも分かるように、接点部側ずらし部４２は幅方向に延在しているのに対し、接点部４４は、端部４２Ｐから手前側に延在している。このため、図９から分かるように、接点部側ずらし部４２における接点部４４側の端部４２Ｐが奥側に変位すると、接点部４４の先端部４４Ｔ側が奥側だけでなく、図９に矢印Ｍ３で示すように、幅方向にも変位する。
【００３５】
図１〜図３に示すように、下板部３０（長方形部２４）の奥側には、長方形部２４の金属板に複数のスリット５６（図３参照）を形成することで、はんだ付け部５８及び圧入係止部６２が形成されている。はんだ付け部５８及び圧入係止部６２は、奥側に向かって延出された片持ち形状とされている。
【００３６】
はんだ付け部５８の先端部６０は、下板部３０よりも奥側に突出している。また、はんだ付け部５８の先端部６０は、下板部３０よりもさらに下側に位置すると共に下板部３０と平行になるように、長手方向の中間部分で曲げられている。図５に示すように、はんだ付け部５８の先端部６０は、基板本体１８に形成されたパッド部６４にはんだ付けされる部位である。
【００３７】
図６Ｂから分かるように、圧入係止部６２の一部は、側板部３２よりも幅方向外側に突出している。そして、図５に示すように、ハウジング１４に形成された圧入溝６６に圧入されて係止される。
【００３８】
圧入係止部６２の幅方向外側辺には、係止凹部６８が形成されている。この係止凹部６８に、ハウジング１４の係止部が係止されることで、コンタクト１２が収容部７２内で保持され、抜けが抑制される。
【００３９】
本実施形態のコンタクト１２では、接続部３６、接続部側ずらし部３８、ばね部４０、接点部側ずらし部４２、接点部４４、導体部２２、はんだ付け部５８及び圧入係止部６２が、金属（たとえば銅合金等）により一体成形されている。
【００４０】
図４及び図５に示すように、本実施形態のハウジング１４は、１又は複数（図示の例では４つ）のコンタクト１２を収容する収容部７２を有している。収容部７２は、ハウジング１４に収容されるコンタクト１２の数と同数で、幅方向に一定間隔で形成されている。
【００４１】
収容部７２の高さ及び幅は、コンタクト１２の高さ及び幅よりわずかに大きくされている。収容部７２の奥側からコンタクト１２を収容部７２内に挿入することが可能である。
【００４２】
収容部７２の長さは、コンタクト１２の導体部２２の長さよりも長く形成されている。ただし、収容部７２にコンタクト１２が収容された状態で、接続部３６及び接点部４４がハウジング１４から突出するように、ハウジング１４の長さが決められている。
【００４３】
収容部７２の手前側には、収容部７２を部分的に覆うストッパ壁７４が形成されている。コンタクト１２を収容部７２に奥側から挿入すると、接点部側ずらし部４２がストッパ壁７４に当たり、コンタクト１２の挿入が制限されると共にばね部４０がわずかに圧縮される。このようにコンタクト１２の挿入がストッパ壁７４で制限された状態で、接点部４４が収容部７２の手前側に突出する。
【００４４】
収容部７２の奥側には、圧入係止部６２が圧入される圧入溝６６が形成されている。コンタクト１２を収容部７２に奥側から挿入すると、挿入途中で、圧入溝６６に圧入係止部６２が圧入される。そして、ハウジング１４の係止部に圧入係止部６２の係止凹部６８に係止されることで、コンタクト１２の挿入方向と反対方向への抜けが抑制される。なお、圧入係止部６２は圧入部の一例であり、圧入溝６６は被圧入部の一例である。
【００４５】
ハウジング１４の側壁７６のそれぞれには、補強端子７８が取り付けられている。補強端子７８は、側壁７６の凹部７６Ｂに収容されて固定される固定片８０と、この固定片８０の下端から、ハウジング１４の幅方向外側に延出された端子片８２と、を有している。補強端子７８によって、バッテリコネクタ１０の基板本体１８に対する取り付け強度が向上される
【００４６】
図４及び図５に示すように、基板ユニット１６は、バッテリコネクタ１０が取り付けられる基板本体１８を有している。基板本体１８には、パッド部６４が形成されている。パッド部６４には、バッテリコネクタ１０が基板本体１８に取り付けられた状態で、はんだ付け部５８の先端部６０がはんだ付けされる。
【００４７】
次に、本実施形態の作用を説明する。
【００４８】
図４及び図５に示すように、本実施形態のバッテリコネクタ１０では、複数（図４及び図５の例では４つ）のコンタクト１２が、ハウジング１４の収容部７２にそれぞれ奥側から挿入されて収容される。収容状態では、コンタクト１２の圧入係止部６２がハウジング１４の圧入溝６６に圧入される。これにより、コンタクト１２が挿入方向と反対方向（奥側）に抜け止めされる。
【００４９】
これにより、コンタクト１２が挿入方向と反対方向に抜け止めされた状態を、より確実に維持できる。
【００５０】
コンタクト１２が、ハウジング１４の収容部７２に収容された状態で、収容部７２の手前側のストッパ壁７４に、コンタクト１２の接点部側ずらし部４２が当たり、ばね部４０がわずかに圧縮される。そして、接点部４４が収容部７２の手前側に突出し（図４参照）、接続部３６が収容部７２の奥側に突出している（図５参照）。
【００５１】
そして、図４及び図５に示すように、ハウジング１４の収容部７２のそれぞれにコンタクト１２が収容されたバッテリコネクタ１０が、基板本体１８に取り付けられる。取付状態では、はんだ付け部５８の先端部６０が、基板本体１８のパッド部６４にはんだ付けされる。はんだ付け部５８がパッド部６４にはんだ付けされることで、バッテリコネクタ１０の基板本体１８に対する位置ずれが抑制される。
【００５２】
また、はんだ付け部５８をパッド部６４にはんだ付けすることにより、基板本体１８とコンタクト１２とを電気的に導通させる。
【００５３】
基板ユニット１６にハウジング１４が取り付けられた状態で、手前側からは、バッテリ９２が接点部４４の先端部４４Ｔに接触し、コンタクト１２を長手方向に押し込む。このとき、図１０Ａ及び図１０Ｂに示すように、ばね部４０が長手方向に圧縮される。ばね部４０が長手方向に圧縮されることで、接点部４４（先端部４４Ｔ）は奥側に変位する。
【００５４】
なお、図５に示すように、圧入係止部６２が圧入溝６６に圧入され、圧入係止部６２がハウジング１４の係止部に係止されている。このため、コンタクト１２が上記のように押し込まれても、コンタクト１２が挿入方向と反対方向に抜けることは抑制される。
【００５５】
本実施形態のコンタクト１２は、ばね部４０を有している。図１０Ａ及び図１０Ｂにも示すように、コンタクト１２が長手方向に押し込まれると、ばね部４０が圧縮され、接点部４４が矢印Ｍ１方向（奥側）へ変位する。また、ばね部４０が全体として撓み、接点部４４が矢印Ｍ２方向（下方）に変位する。すなわち、接点部４４は、このように下方に変位することで、バッテリ９２に対し接触状態を維持しつつ摺動する。
【００５６】
また、本実施形態のバッテリコネクタ１０のコンタクト１２では、ばね部４０と接続部３６との間に接続部側ずらし部３８が形成され、接続部３６４４の中心線ＣＬ−２が、ばね部４０の中心線ＣＬ−１に対し幅方向にずれている（図２に示すずれＬ１参照）。すなわち、接続部３６の中心線ＣＬ−２がばね部４０の中心線ＣＬ−１と一致している構造と比較して、ばね部４０と接続部３６の間の部分が幅方向に長い。これにより、接続部側ずらし部３８がばねとして作用するので、接続部側ずらし部３８は、コンタクト１２が長手方向に押し込まれたとき、図１０Ｂに示すように撓み変形する。接点部側ずらし部４２の変形により、ばね部４０側の端部３８Ｐが奥側に変位するので、接点部４４は、矢印Ｍ３方向（幅方向）にも変位する。
【００５７】
さらに、本実施形態のバッテリコネクタ１０のコンタクト１２では、ばね部４０と接点部４４との間に接点部側ずらし部４２が形成され、接点部４４の中心線ＣＬ−３が、ばね部４０の中心線ＣＬ−１に対し幅方向にずれている（図１に示すずれＬ２参照）。すなわち、接点部４４の中心線ＣＬ−３がばね部４０の中心線ＣＬ−１と一致している構造と比較して、ばね部４０と接点部４４の間の部分が幅方向に長い。これにより、接点部側ずらし部４２がばねとして作用するので、接点部側ずらし部４２は、コンタクト１２が長手方向に押し込まれたとき、図１０Ｂに示すように撓み変形する。接点部側ずらし部４２の変形により、接点部４４側の端部４２Ｐが奥側に変位するので、接点部４４は、矢印Ｍ３方向（幅方向）にも変位する。
【００５８】
図１１Ａ及び図１１Ｂに示すように、さらにコンタクト１２が長手方向に押し込まれると、接点部４４は、矢印Ｍ１方向へ変位すると共に、矢印Ｍ２方向及び矢印Ｍ３方向へもさらに変位する。
【００５９】
このように、本実施形態のバッテリコネクタ１０のコンタクト１２では、接点部４４からバッテリ９２に押し込まれたときに、接点部４４の矢印Ｍ２方向の変位量が多くなることに加えて、矢印Ｍ３方向の変位も生じる。したがって、たとえばばね部４０の変形のみで接点部４４が変位する構造と比較して、接点部４４の変位量が多くなる。
【００６０】
そして、バッテリコネクタ１０、すなわちハウジング１４を介してコンタクト１２が取り付けられた本実施形態の基板ユニット１６においても、接点部４４の変位量が多くなる。
【００６１】
このように、本実施形態のバッテリコネクタ１０のコンタクト１２では、接点部４４の変位量が多くなるので、バッテリ９２との摺動量が多くなる。そして、接点部４４においてバッテリ９２との摺動量が多くなると、接点部４４の近傍に付着していた異物を除去する効果が高くなるので、バッテリ９２との接触性を良好に維持することが可能となる。
【００６２】
特に、本実施形態のバッテリコネクタ１０のコンタクト１２では、ばね部４０が変形前の状態で導体部２２（下板部３０）から離間しており、ばね部４０と導体部２２との間に間隙Ｇ２が確保されている。したがって、この間隙Ｇ２が確保されていない構造と比較して、ばね部４０を大きく撓ませ、接点部４４の下方への変位量を大きく確保できる。
【００６３】
また、本実施形態のバッテリコネクタ１０のコンタクト１２では、接続部３６は、下板部３０すなわちコンタクト１２の下部から、ばね部４０の上部すなわちコンタクト１２の上部に至る長さを有している。したがって、接続部３６がばねとして作用するので、コンタクト１２が長手方向に押し込まれたときにばねとして作用する部分（ばね長）が長い。
【００６４】
このように、本実施形態のバッテリコネクタ１０のコンタクト１２では、ばね部４０だけでなく、接続部３６、接続部側ずらし部３８及び接点部側ずらし部４２もばね状に変形する。接続部３６、接続部側ずらし部３８及び接点部側ずらし部４２がばね状に変形しない構造と比較して、接点部４４の変位量が多い。
【００６５】
なお、接点部側ずらし部４２が形成され、接続部側ずらし部３８及び接続部３６が形成されていない構造であっても、コンタクト１２が長手方向に圧縮されたとき、接点部４４を下方向及び幅方向に変位させ、変位量を多く確保することが可能である。
【００６６】
さらに、接続部側ずらし部３８が形成され、接点部側ずらし部４２や接続部３６が形成されていない構造であっても、接点部４４を下方向及び幅方向に変位させることは可能である。たとえば、この構造において、接点部４４を幅方向に変位させるには、側板部３２とばね部４０との間に幅方向の隙間を生じる構造とすればよい。側板部３２とばね部４０との間に幅方向の隙間があれば、接続部側ずらし部３８の撓みにより、ばね部４０及び接点部４４が全体として、接続部３６側を中心として回転するように変位する。そして、接点部４４を幅方向に変位させることができる。本実施形態のように、接点部側ずらし部４２と接続部側ずらし部３８の双方が形成された構造では、一方のみが形成された構造と比較して、接点部４４を大きく変位させることが可能である。
【００６７】
そして、接点部４４が下方に変位し、延長部５４が下板部３０に接触した状態でも、図１１Ａに示すように、延長部５４は下板部３０と非接触であるので、接点部４４の下方への変位が制限されない。
【００６８】
本実施形態のバッテリコネクタ１０のコンタクト１２では、接点部４４の変位量を大きく確保するために、単に接点部４４を上下方向に変位させるだけでなく、幅方向（横方向）に変位させている。したがって、接点部４４を上下方向にのみ変位させてバッテリ９２と接触させ、接触状態での変位量（摺動量）を大きく確保する構造と比較して、コンタクト１２の高さ（矢印ＵＰ方向の長さ）を低くすることが可能である。コンタクト１２の高さを低くすることで、ハウジング１４の高さを低くすることができ、さらには、基板ユニット１６の高さを低くすることにも寄与できる。
【００６９】
本実施形態のバッテリコネクタ１０のコンタクト１２では、接続部３６、接続部側ずらし部３８、ばね部４０、接点部側ずらし部４２及び接点部４４は、金属により一体成形されている。したがって、これらを別体とし、接合部材等を用いて接合した構造と比較して、部品点数が少なくなる。また、接点部４４と接続部３６との間が接合部材等を介することなく金属で一体的に連続しているので、接点部４４と接続部３６との間の電気的な導通を安定的に維持できる。
【００７０】
上記では、第２外部導体として、バッテリ９２を挙げているが、第２外部導体はバッテリ（電池）に限定されない。したがって、電気コネクタとしても、バッテリコネクタに限定されない。要するに、第１外部導体と電気コネクタを介して導通される部材であればよい。同様に、第１外部導体としても、電気コネクタを介して第２外部導体と導通される部材であればよい。第１外部導体及び第２外部導体としては、基板本体１８に設けられて、基板本体１８の外部と電気的に接続するための接続端子や、接続コネクタ等であってもよい。あるいは、第１外部導体及び第２外部導体として、基板本体１８上の素子（電子部品）であってもよい。
【００７１】
上記では、バッテリコネクタ１０として、ハウジング１４にコンタクト１２が収容され保持された構造を挙げている。ただし、このようなハウジング１４がない構造、あるいは、コンタクト１２を保持する部材として、ハウジング１４に代わる保持部材を有する構造でもよい。たとえば、ハウジング１４がない構造では、コンタクト１２自体がバッテリコネクタ１０として機能する構造とすることが可能である。
【００７２】
以上、本願の開示する技術の実施形態について説明したが、本願の開示する技術は、上記に限定されるものでなく、上記以外にも、その主旨を逸脱しない範囲内において種々変形して実施可能であることは勿論である。
【００７３】
本明細書は、以上の実施形態に関し、さらに以下の付記を開示する。
（付記１）
第１外部導体に接続される接続部と、
第２外部導体に接触される接点部と、
前記接続部と前記接点部を導通させ、前記接続部から前記接点部に向かう方向に延在されたばね部と、
前記接続部及び前記接点部の少なくとも一方を、前記ばねの延在方向の中心線からずらした位置とするずらし部と、
を有する電気コネクタ。
（付記２）
前記接続部、前記接点部、前記ばね部及び前記ずらし部が金属により一体成形されている付記１に記載の電気コネクタ。
（付記３）
前記接続部から連続すると共に前記ばね部に沿って前記延在方向に延在される導体部を備え、
前記ばね部が、前記導体部から離間している付記１又は２に記載の電気コネクタ。
（付記４）
被圧入部に係止される圧入部を有する付記１〜３のいずれか１つに記載の電気コネクタ。
（付記５）
基板本体にはんだ付けされるはんだ付け部を有する付記１〜４のいずれか１つに記載の電気コネクタ。
（付記６）
基板本体と、
第１外部導体に接続される接続部と、第２外部導体に接触される接点部と、前記接続部と前記接点部を導通させ、前記接続部から前記接点部に向かう方向に延在されたばね部と、前記接続部及び前記接点部の少なくとも一方を、前記ばねの前記延在方向の中心線からずらした位置とするずらし部と、を備え、前記基板本体に取り付けられる電気コネクタと、
を有する基板ユニット。
（付記７）
前記電気コネクタが、前記基板本体にはんだ付けされるはんだ付け部を有し、
前記はんだ付け部により前記電気コネクタが前記基板本体にはんだ付けされている付記６に記載の基板ユニット。
（付記８）
前記電気コネクタを収容し前記基板本体に取り付けられるハウジングを有し、
前記電気コネクタが、前記ハウジングの被圧入部に係止される圧入部を有し、
前記圧入部が前記被圧入部に圧入されて係止されている付記７又は８に記載の基板ユニット。
【符号の説明】
【００７４】
１０  バッテリコネクタ
１２  コンタクト
１４  ハウジング
１６  基板ユニット
１８  基板本体
２２  導体部
３６  接続部
３８  接続部側ずらし部
４０  ばね部
４２  接点部側ずらし部
４４  接点部
５８  はんだ付け部
６２  圧入係止部
９２  バッテリ（第２外部導体）
【図１】
2015026502.tif 000003
【図２】
2015026502.tif 000004
【図３】
2015026502.tif 000005
【図４】
2015026502.tif 000006
【図５】
2015026502.tif 000007
【図６Ａ】
2015026502.tif 000008
【図６Ｂ】
2015026502.tif 000009
【図７】
2015026502.tif 000010
【図８】
2015026502.tif 000011
【図９】
2015026502.tif 000012
【図１０Ａ】
2015026502.tif 000013
【図１０Ｂ】
2015026502.tif 000014
【図１１Ａ】
2015026502.tif 000015
【図１１Ｂ】
2015026502.tif 000016